(57)【要約】【課題】  面ファスナ同士の押し付けによって十分な係合力が得られる一方、取外し際には容易に剥がすことのできる面ファスナを提供する。【解決手段】  一方の基材３に密集して起毛されたループ状の係合素子４を有する第１の面ファスナ材２と、他方の基材６に起毛されたフック状の係合素子７を有する第２の面ファスナ材５とを有し、第１の面ファスナ材２と第２の面ファスナ材５との押し付けによって貼り付く面ファスナ１において、前記フック状の係合素子７は、その先端開口部７ａが基材６の平面上において一方向を除いた他方向に向けて起毛されている。【選択図】  図１
2018130265.tif 000002
【特許請求の範囲】
【請求項１】
一方の基材に密集して起毛されたループ状の係合素子を有する第１の面ファスナ材と、他方の基材に起毛されたフック状の係合素子を有する第２の面ファスナ材とを有し、第１の面ファスナ材と第２の面ファスナ材との押し付けによって貼り付く面ファスナにおいて、
前記フック状の係合素子は、その先端開口部が基材の平面上において一方向を除いた他方向に向けて起毛されている面ファスナ。
【請求項２】
前記フック状の係合素子は、その全ての係合素子の先端開口部が基材の平面上において一方向を除いた他方向に向けてランダムに起毛されている請求項１に記載の面ファスナ。
【請求項３】
前記一方向が１２０°の範囲内に含まれる方向である請求項１又は２に記載の面ファスナ。
【請求項４】
前記他方向が前記１２０°を除く２４０°の範囲内に含まれる方向である請求項３に記載の面ファスナ。
【請求項５】
壁面下地材の表面に請求項１に係る面ファスナの第１の面ファスナ材及び第２の面ファスナ材のいずれか一方を固定し、前記壁面下地材に取付けられる壁面パネルの裏面に第１の面ファスナ材及び第２の面ファスナ材の他方を固定し、壁面パネルの下端部を壁面下地材に位置決めしたのち、壁面パネルを起こして壁面下地材に押し付け、第１の面ファスナ材のループ状の係合素子と第２の面ファスナ材のフック状の係合素子とを貼り付ける壁面施工法。
【請求項６】
前記壁面パネルの裏面に第２の面ファスナ材が固定され、第２の面ファスナ材のフック状の係合素子は、その係合素子の先端開口部が壁面パネルの上側に向けた一方向を除いた他方向に向けて起毛されており、壁面パネルを壁面下地材に対して上方向にスライドさせることで、壁面パネルの脱着を可能とする請求項５に記載の壁面施工法。
【請求項７】
前記壁面下地材は、前記壁面パネルの下端部を支持するための受け部材を備えている請求項５又は６に記載の壁面施工法。
【発明の詳細な説明】
【技術分野】
【０００１】
本発明は面ファスナ及びこの面ファスナを用いた壁面施工法に関し、特に押し付けることによって貼り付け、スライドさせることによって剥がすことのできる面ファスナに関するものである。
【背景技術】
【０００２】
従来の面ファスナとして、フック状の係合素子に方向性を持たせたものが知られている（特許文献１参照）。この面ファスナは、フック状の係合素子の全てがその先端開口部を一方向に向けて起毛されている。そうすることでフック状の係合素子にループ状の係合素子が一方向から係合し易くなる。そのため、面ファスナ同士をスライド方向に移動させることで確実に貼り付けることができ、その際に、移動させながら貼り付け位置の修正も容易となる。また、面ファスナを剥がす際にも面ファスナ同士をスライド移動させることで容易に脱着することができる。
【０００３】
一方、建築物の壁面施工において、面ファスナを用いて壁面下地材に壁面パネルを取付ける壁面施工法が知られている(特許文献２〜４を参照)。この壁面施工法は、壁面下地材と壁面パネルの両方に面ファスナを取付けておき、壁面パネルを壁面下地材に押し付けて面ファスナ同士を貼り付けることによって、壁面下地材に壁面パネルを固着するものである。
【０００４】
ところで、上記特許文献２〜４のような面ファスナを用いた壁面施工法では、壁面パネルの取付強度は確保できるものの、壁面パネルの交換時などでは平板状の大きな壁面パネルをそのまま前方に引っ張って面ファスナを剥がさなければならないために大きな力が必要となり、壁面パネルの交換が極めて困難なものとなっていた。
【０００５】
前記壁面施工において、上述した特許文献１におけるようなフック状の係合素子に方向性を持たせた面ファスナを利用することも考えられる。しかしながら、このような面ファスナにおいては、壁面パネルを交換する際には壁面パネルをスライドさせることで面ファスナが剥がれ易くなるものの、壁面パネルの取付強度が必ずしも十分でないおそれがある。これは全てのフック状の係合素子がその先端開口部を一方向に向けて起毛されているため、壁面パネルを壁面下地材に正面から押し付けた時にフック状の係合素子の先端開口部とループとの係合位置が少しでもずれていると、両者の係合が十分に行われないおそれがあるからである。
【先行技術文献】
【特許文献】
【０００６】
【特許文献１】実登第２５４６１８７号公報
【特許文献２】特開平１０−１６９１５５号公報
【特許文献３】特開２００７−５６５１７号公報
【特許文献４】特開２０１５−２０３２６０号公報
【発明の概要】
【発明が解決しようとする課題】
【０００７】
そこで本発明は、面ファスナ同士の押し付けによって十分な係合力が得られる一方、取外し際には容易に剥がすことのできる面ファスナを提供するものである。また、本発明は、壁面下地材に対する壁面パネルの取付強度を確保すると共に壁面下地材から壁面パネルを容易に脱着することができる壁面パネル施工法を提供するものである。
【課題を解決するための手段】
【０００８】
本発明に係る面ファスナは、一方の基材に密集して起毛されたループ状の係合素子を有する第１の面ファスナ材と、他方の基材に起毛されたフック状の係合素子を有する第２の面ファスナ材とを有し、第１の面ファスナ材と第２の面ファスナ材との押し付けによって貼り付く面ファスナにおいて、前記フック状の係合素子は、その先端開口部が基材の平面上において一方向を除いた他方向に向けて起毛されている。
【０００９】
また、本発明の面ファスナは、一実施形態では前記一方向が１２０°の範囲内に含まれる方向であり、前記他方向が前記１２０°を除く２４０°の範囲内に含まれる方向である。
【００１０】
本発明に係る壁面施工法は、壁面下地材の表面に本発明に係る面ファスナの第１の面ファスナ材及び第２の面ファスナ材のいずれか一方を固定し、前記壁面下地材に取付けられる壁面パネルの裏面に第１の面ファスナ材及び第２の面ファスナ材の他方を固定し、壁面パネルの下端部を壁面下地材に位置決めしたのち、壁面パネルを起こして壁面下地材に押し付け、第１の面ファスナ材のループ状の係合素子と第２の面ファスナ材のフック状の係合素子とを貼り付けるものである。
【００１１】
また、本発明の壁面施工法は、一実施形態では前記壁面パネルの裏面に第２の面ファスナ材が固定され、第２の面ファスナ材のフック状の係合素子は、その係合素子の先端開口部が壁面パネルの上側に向けた一方向を除いた他方向に向けて起毛されており、壁面パネルを壁面下地材に対して上方向にスライドさせることで、壁面パネルの脱着を可能とする。
【発明の効果】
【００１２】
本発明に係る面ファスナによれば、フック状の係合素子は、その先端開口部が基材の平面上において一方向を除いた他方向に向けて起毛されているので、面ファスナ同士の押し付けによって十分な係合力が得られる一方、剥がす際には面ファスナ同士をスライドさせることで容易に脱着することができる。
【００１３】
また、本発明に係る壁面施工法によれば、壁面下地材に壁面パネルを押し付けることで、壁面パネルの取付強度が確保される。一方、壁面パネルをスライドさせることで壁面下地材から容易に取り外すことができる。
【図面の簡単な説明】
【００１４】
【図１】本発明に係る面ファスナを互いに向い合せた時の断面図である。
【図２】第２の面ファスナ材のフック状の係合素子の起毛状態を示す斜視図及び円で囲んだ部分の拡大図である。
【図３】フック状の係合素子の先端開口部が向かう方向を説明する図である。
【図４】第１の面ファスナ材と第２の面ファスナ材を貼り合わせた時の断面図である。
【図５】第１の面ファスナ材と第２の面ファスナ材を剥がす時の断面図である。
【図６】壁面下地パネルの表面と壁面パネルの裏面にそれぞれ面ファスナ材を固定した状態の斜視図である。
【図７】壁面下地パネルに壁面パネルを取り付ける状態を示す断面図である。
【図８】壁面下地パネルに面ファスナを介して壁面パネルを取り付けた状態を示す断面図である。
【図９】壁面下地パネルから壁面パネルを取り外す時の状態を示す断面図である。
【図１０】図９の円で囲んだ部分の拡大図である。
【発明を実施するための形態】
【００１５】
以下、添付図面に基づいて本発明に係る面ファスナ及びこの面ファスナを用いた壁面パネル施工法の実施形態を詳細に説明する。図１乃至図５には本発明の一実施形態に係る面ファスナ１が示されている。この実施形態に係る面ファスナ１は、一方の基材３に密集して起毛されたループ状の係合素子４を有する第１の面ファスナ材２と、他方の基材６に起毛された多数のフック状の係合素子７を有する第２の面ファスナ材５とを有する。
【００１６】
前記フック状の係合素子７は、図１及び２に示すように、先端開口部７ａを有する鉤形をしており、先端開口部７ａでループ状の係合素子４を引掛けて互いに係合する。本発明におけるフック状の係合素子７は、その先端開口部７ａが基材６の平面上において、一方向を除いた他方向に向けて起毛されている。これは基材６に起毛された全ての係合素子７に対して適用される。図２及び図３に基づいて具体的に説明すると、基材６の平面上での方向を互いに直交するＡ，Ｂ，Ｃ，Ｄの４方向に大きく分けた場合、前記一方向とはＡ方向を指し、他方向とはＡ方向を除くＢ，Ｃ，Ｄを含む全ての方向を指している。すなわち、フック状の係合素子７はＡ方向を除いたＢ，Ｃ，Ｄの３方向に先端開口部７ａをランダムに向けて起毛されている。Ａ，Ｂ，Ｃ，Ｄの各方向は、それぞれが所定の角度を持っており、その角度の範囲内に含まれる方向を有している。この実施形態では図３に示したように、Ａ方向は中心からの角度が少なくとも１２０°の範囲内Ｅ１に含まれる方向であり、Ｂ，Ｃ，Ｄを合わせた３方向は、中心からの角度が少なくとも前記Ａ方向の範囲内Ｅ１を除く２４０°の範囲内Ｅ２に含まれる方向である。
【００１７】
上記第２の面ファスナ材５は、基材６の全面にＡ方向を除いたＢ，Ｃ，Ｄ方向に先端開口部７ａをランダムに向けたフック状の係合素子７が起毛されている。このように、上記第２の面ファスナ材５は、基材６の平面上において、ある特定の一方向にだけ先端開口部７ａが向くのを避け、他の残りの方向には先端開口部７ａがランダムに向いているので、図４に示したように、第１の面ファスナ材２を押し付けた時に、密集して起毛されたループ状の係合素子４との引っ掛かり度合が大きくなり、数多くのフック状の係合素子７がループ状の係合素子４と係合して第１の面ファスナ材２との間に強い接着力が生じる。
【００１８】
一方、互いに貼り付いた第１の面ファスナ材２と第２の面ファスナ材５とを剥がす際には、図５に示したように、Ａ方向とは逆の方向、すなわちＣ方向に第１の面ファスナ材２をスライドさせるかＡ方向に第２の面ファスナ材５をスライドさせ、あるいは両方の面ファスナ材２，５を矢印の方向へ同時にスライドさせることで、フック状の係合素子７の先端開口部７ａからループ状の係合素子４が容易に抜けて係合が外れ、容易に剥がすことができる。フック状の係合素子７は、先端開口部７ａはＡ方向を除くＢ，Ｃ，Ｄ方向にランダムに向いているが、引張り力が加わったときに容易に撓むような材質で作られている場合、Ａ方向の角度が１２０°程度であれば、ループ状の係合素子４と係合状態にあったとしても、スライドさせたときの引張り力で容易に撓んで倒れたり、先端開口部７ａが開くことで、ループとの係合が容易に外れることになる。
【００１９】
前記Ａ方向の範囲が１２０°の角度に限定されないことは勿論である。Ａ方向の角度を狭くすることで逆にＢ，Ｃ，Ｄの各方向の角度が広がるために、面ファスナの貼り付け強度が上がる一方、引き剥がす時の力は先のものより大きくなる。逆に、Ａ方向の角度を広くすることで、引き剥がす時の力は小さくて済むが、逆に貼り付け強度が多少犠牲になる。このように、一方向の範囲と一方向を除く他方向の範囲との比率は、面ファスナを利用する分野などによって適宜決めることができる。すなわち、面ファスナによる取付強度を重要視する場合にはＡ方向の角度を狭くし、逆に面ファスナの取外しを頻繁に行うような場所に利用する場合にはＡ方向の角度を広く設定するのが望ましい。
【００２０】
次に、上記構成からなる面ファスナの作用について説明する。図１は、第１の面ファスナ材２と第２の面ファスナ材５を対面させた状態を示している。ループ状の係合素子４は、実際には密集した状態で起毛されているが、分かり易くるために、単純化して図示してある。また、フック状係合素子７は、実際には一方向を除く全ての他方向にランダムに起毛されているが、分かり易くするために単純化して図示してある。対面させた第１の面ファスナ材２と第２の面ファスナ材５とを互いに押し付けて貼り付ける。図１に示された例では第２の面ファスナ材５の配置された向きは、紙面の下側がＡ方向、紙面の上側がＣ方向である。
【００２１】
図４は、第１の面ファスナ材２と第２の面ファスナ材５とを貼り付けた状態を示している。一体となった面ファスナ１は、第１の面ファスナ材２と第２の面ファスナ材５を互いに押し付けることによってループ状の係合素子４にフック状の係合素子７が係合する。フック状の係合素子７は先端開口部７ａが一方向を除く全ての他方向に向けてランダムに起毛されているので、ループ状の係合素子４にフック状の係合素子７が引っ掛かり度合が大きくなり、数多くのフック状の係合素子７がループ状の係合素子４と係合する。そのため、市場で見られる一般の面ファスナとそん色ない強度で面ファスナが貼り付くことになる。
【００２２】
図５は、貼り付けた第１の面ファスナ材２と第２の面ファスナ材５とを剥がす際の脱着方向を示している。前述したように、ループ状の係合素子４が起毛された第１の面ファスナ材２を矢印Ｃ方向に、フック状の係合素子７が起毛されている第２の面ファスナ材５を矢印Ａ方向に相対的に移動させる。このスライド方向は前述したように、フック状の係合素子７の先端開口部７ａからループ状の係合素子４が抜け出る方向なので、ループ状の係合素子４とフック状の係合素子７との係合が外れ易くなり、大きな力を必要とすることなく面ファスナ１を引き剥がすことができる。
【００２３】
次に、上記構成からなる面ファスナ１を利用した壁面施工法を説明する。従来から壁面下地材に壁面パネルを取付ける方法として面ファスナを利用した施工が知られている。本発明の壁面施工法では上述した本発明の面ファスナ１の一方を壁面下地材の表面に固定し、他方を壁面パネルの裏面に固定している。
【００２４】
図６乃至図１０には本発明の壁面施工法の一実施形態が示されている。この実施形態では、図６に示したように、壁面下地材として設けた壁面下地パネル１０の表面の４隅に第１の面ファスナ材２が固定され、壁面パネル１１の裏面の４隅に第２の面ファスナ材５が固定されている。この実施形態では第１の面ファスナ材２と第２の面ファスナ材５は、同じ長方形状をした小片からなるが、形状について特に限定されるものではなく、例えば縦方向に長い帯状のものであってもよい。第１の面ファスナ材２及び第２の面ファスナ材５は、互いに対応した位置で各パネルに固定されている。そうすることで、壁面下地パネル１０に壁面パネル１１を取付けた時に、４カ所で第１の面ファスナ材２と第２の面ファスナ材５とが重なって、パネル同士がしっかりと固着される。
【００２５】
壁面パネル１１の裏面に固定される第２の面ファスナ材５は、小片を取り付ける際の上下方向が決まっており、図６及び図１０に示したように、フック状の係合素子７のＡ方向が壁面パネル１１の上側に、Ａ方向とは反対側のＣ方向が壁面パネル１１の下側に位置するように取り付けられる。４カ所とも同様である。これによって、壁面パネル１１を壁面下地パネル１０から取り外す場合に、壁面パネル１１を上方に少しスライドさせた時に係合素子同士の係合が外れ易くなる。なお、壁面下地パネル１０側に固定される第１の面ファスナ材２については、上下の取付け方向は自由である。
【００２６】
次に、図７乃至図１０に基づいて、壁面パネル１１の取り付け及び取り外しについて説明する。壁面パネル１１を取付ける場合には、図７に示したように、壁面下地パネル１０の下端に設けた受け部材１２の凹溝部１３に壁面パネル１１の下端部を載置して位置決めし、次いでこの状態から壁面パネル１１を壁面下地パネル１０側に起こす。
【００２７】
次に、起こした壁面パネル１１を壁面下地パネル１０に押し付け、図８に示したように、第１の面ファスナ材２に第２の面ファスナ材５を貼り付ける。これによって壁面パネル１１が壁面下地パネル１０に固着される。図１０に示したように、第２の面ファスナ材５のフック状の係合素子７は、Ａ方向を除いた他の全て方向に先端開口部７ａをランダムに向けて起毛されているので、第１の面ファスナ材２に第２の面ファスナ材５を押し付けることでループ状の係合素子４と係合し、壁面パネル１１の取付強度が確保される。また、壁面パネル１１は下端部が受け部材１２に載置されているので、衝撃などによって仮に面ファスナ１が剥がれたとしても、壁面下地パネル１０からずり落ちることがない。なお、壁面パネル１１の上端部を取り外し可能な回り縁などで保持してもよい。
【００２８】
壁面パネル１１の交換などで壁面下地パネル１０から壁面パネル１１を取り外す場合には、図９に示したように、壁面パネル１１を上方に僅かにスライドさせる。図１０に示したように、第２の面ファスナ材５は、壁面パネル１１をスライドさせる方向に対して全てのフック状の係合素子７がループ状の係合素子４から抜けやすい方向に先端開口部７ａを向けているので、壁面パネル１１を上方にスライドさせることで係合素子同士の係合を容易に外すことができる。係合が外れたら壁面パネル１１を手前に引くだけで、壁面パネル１１を取り外すことができる。交換した別の壁面パネルの裏面にも第２の面ファスナ材５を固定しておくことで、前記と同様の壁面施工を行なうことができる。
【００２９】
なお、壁面下地パネル１０の方に第２の面ファスナ材５を固定し、壁面パネル１１側に第１の面ファスナ材２を固定した場合でも同様の壁面施工が可能である。但し、この場合には第２の面ファスナ材５は、フック状の係合素子７のＡ方向が壁面下地パネル１０の下側に、フック状の係合素子７のＣ方向が壁面下地パネル１０の上側に位置するように取り付けられる。４カ所とも同様である。これによって、壁面パネル１１を壁面下地材１０から取り外す場合には、前記と同様、壁面パネル１１を上方にスライドさせることで面ファスナを脱着することができる。
【００３０】
本発明の壁面パネルには建物の外壁パネルや外壁パネルの表面に装飾その他の目的で被せる外装パネル、各種内装パネルなどが含まれる。また、壁面下地材の態様も上記の実施形態に限られないことは勿論である。
【符号の説明】
【００３１】
１  面ファスナ
２  第１の面ファスナ材
３，６  基材
４  ループ状の係合素子
５  第２の面ファスナ材
７  フック状の係合素子
１０  壁面下地パネル
１１  壁面パネル
１２  受け部材
１３  凹溝部
【図１】
2018130265.tif 000003
【図２】
2018130265.tif 000004
【図３】
2018130265.tif 000005
【図４】
2018130265.tif 000006
【図５】
2018130265.tif 000007
【図６】
2018130265.tif 000008
【図７】
2018130265.tif 000009
【図８】
2018130265.tif 000010
【図９】
2018130265.tif 000011
【図１０】
2018130265.tif 000012